(57)【要約】      （修正有）【課題】パチンコ機本体を開けてアンバランスな状態で外枠を島枠に取り付ける場合であっても、正確かつ迅速に外枠を遊技機の島枠に取り付けることを目的とする。【解決手段】遊技機１の外枠６を遊技機島の島枠１０内に取り付ける際に、外枠６が島枠１０内で所定の傾斜角度αで傾斜するように外枠６の下部の前後位置を設定する下部調整冶具２８と、島枠１０内の上部前縁に沿って配置し、所定の傾斜角度α１で傾斜した外枠６の上部が当接することで外枠６の上部の前後位置を設定する棒状の上部調整冶具２６とを備えている。【選択図】図２
2005329225.tif 000002
【特許請求の範囲】
【請求項１】
遊技機の外枠を遊技機島の島枠内に取り付ける際に、前記外枠が前記島枠内で所定の傾斜角度で傾斜するように前記外枠の下部の前後位置を設定する遊技機の下部調整冶具であって、
前記島枠の前面に設けた島テーブル上に載置する冶具本体と、前記島テーブルとの係合により前記冶具本体が前記島枠側に移動するのを規制する本体位置決め部と、前記島枠内に配置した前記外枠の前面下部に対面するように前記冶具本体に設けられ、前記島枠内の前記外枠が前記所定の傾斜角度で傾斜したときに前記外枠の前面下部が当接する前後位置設定部と、を備えたことを特徴とする遊技機の下部調整冶具。
【請求項２】
前記前後位置設定部及び前記本体位置決め部の前後方向の相対位置が可変となるように、前記前後位置設定部及び前記本体位置決め部の少なくとも一方を、前記冶具本体に対して前後方向に移動自在に連結したことを特徴とする請求項１記載の遊技機の下部調整冶具。
【請求項３】
前記本体位置決め部は、前記島テーブルの前側縁部に引っ掛かり係合していることを特徴とする請求項１又は２記載の遊技機の下部調整冶具。
【請求項４】
遊技機の外枠を遊技機島の島枠内に取り付ける際に、前記外枠の下部及び上部の前後位置を所定位置に設定する遊技機の角度調整装置であって、
前記外枠が前記島枠内で所定の傾斜角度で傾斜するように前記外枠の下部の前後位置を設定する下部調整冶具と、前記島枠内の上部前縁に沿って配置し、所定の傾斜角度で傾斜した前記外枠の上部が当接することで前記外枠の上部の前後位置を設定する上部調整冶具と、を備えたことを特徴とする遊技機の角度調整装置。
【請求項５】
前記上部調整冶具は横断面長方形の棒状体であり、この上部調整冶具の短辺側の面及び長辺側の面の一方の面を前記島枠内の上面に対向し、他方の面が前記島枠の上部前面に面一となるように配置し、前記他方の面に対向している面に前記外枠の上部を当接させて前記外枠の上部の前後位置を設定することを特徴とする請求項４記載の遊技機の角度調整装置。
【請求項６】
前記上部調整冶具は、長手方向に所定間隔をあけた位置に、一つの短辺側の面に沿って短尺方向に突出した少なくとも一対の第１係合部と、前記一つの短辺側の面に直交している長辺側の面に沿って短尺方向に突出した少なくとも一対の第２係合部とを備え、これら第１及び第２係合部の一方を、前記島枠の上部内面及び前記外枠の上部との間の隙間に挿入することで前記上部調整冶具を前記島枠内の上部前縁に沿って配置することを特徴とする請求項５記載の遊技機の角度調整装置。
【請求項７】
前記第１及び第２係合部は、前記隙間に挿入する際に、前記島枠の上部内面及び前記外枠の上部に対して弾性変形により係合力を発生する弾性変形部を設けていることを特徴とする請求項６記載の遊技機の角度調整装置。
【請求項８】
前記一対の第１及び第２係合部を、前記上部調整冶具の長手方向に所定間隔をあけた位置に、互いに直交する一つの短辺側の面と一つの長辺側の面とに固定され、且つそれらの面に沿って短尺方向に突出している少なくとも一対のＬ字形状の係合部材で構成したことを特徴とする請求項６又は７記載の遊技機の角度調整装置。
【請求項９】
前記下部調整冶具は、請求項１乃至３の何れかに記載の遊技機の下部調整冶具であることを特徴とする請求項４乃至８の何れかに記載の遊技機の角度調整装置。
【請求項１０】
遊技機島の島枠内に配置した遊技機の外枠を、当該外枠の上部が前記島枠の奥側に位置し、該外枠の下部が前記上部に対して前記島枠の前側に位置するように所定の傾斜角度で傾斜を付けて前記島枠に取り付ける遊技島への遊技機の取付方法であって、
前記島枠の上枠の内側前縁に沿って上部調整冶具を配置する工程と、
前記上部調整冶具の奥側の面に、前記島枠内に配置した前記外枠の上部を当接して前記外枠の上部位置を設定する工程と、
上部位置を設定した前記外枠の上部を前記島枠の上枠に固定する工程と、
前記島枠の前面に設けた島テーブル上に下部調整冶具を載置し、この下部調整冶具に前記外枠の前面下部を当接して前記外枠の下部位置を設定する工程と、
下部位置を設定した前記外枠の下部を前記島枠の下枠に固定する工程とを備えていることを特徴とする遊技島への遊技機の取付方法。
【発明の詳細な説明】
【技術分野】
【０００１】
本発明は、遊技機島の島枠内に配置した遊技機の外枠を最適な傾斜角度に傾斜させて取り付ける際に好適な遊技機の下部調整冶具、遊技機の角度調整装置及び遊技島への遊技機の取付方法に関する。
【背景技術】
【０００２】
パチンコ機は、遊技機島の島枠に固定される外枠と、この外枠に連結（ヒンジ結合）されているパチンコ機本体とで構成されており、遊技機島に配置する際には、パチンコ機本体が連結した外枠を島枠内に嵌め込み、外枠と島枠の両者に釘を打ち込むことで取り付けている（例えば、特許文献１）。
【特許文献１】特開平０８―８４８４０号公報
【発明の開示】
【発明が解決しようとする課題】
【０００３】
ところで、パチンコ機は、その上部が下部より奥側に位置するように、所定の角度で傾斜を付けて遊技島に配置される。そのため、取付け業者は、パチンコ機の外枠が所定の傾斜角度で傾斜するように、巻尺などの定規を使用して外枠の上部及び下部の前後位置を調整しながら島枠に取り付ける作業を行っている。
しかし、外枠にはパチンコ機本体が連結されており、パチンコ機本体を開けて島枠に配置する際にはアンバランスな状態となるので、少なくとも、外枠を保持する作業員と、定規を使用して外枠の上部及び下部の前後位置を調整する作業員とが少なくとも二人必要である。したがって、従来の外枠の取り付け作業は、非常に労力のかかる困難な作業である。
【０００４】
そこで、本発明は上記事情に鑑みてなされたもので、パチンコ機本体を開けてアンバランスな状態で外枠を島枠に取り付ける場合であっても、正確かつ迅速に外枠を遊技機の島枠に取り付けることができるとともに、取付け業者の作業負担を大幅に低減することができる遊技機の下部調整冶具、遊技機の角度調整装置及び遊技島への遊技機の取付方法を提供することを目的としている。
【課題を解決するための手段】
【０００５】
本発明に係る請求項１記載の下部調整冶具は、遊技機の外枠を遊技機島の島枠内に取り付ける際に、前記外枠が前記島枠内で所定の傾斜角度で傾斜するように前記外枠の下部の前後位置を設定する遊技機の下部調整冶具であって、前記島枠の前面に設けた島テーブル上に載置する冶具本体と、前記島テーブルとの係合により前記冶具本体が前記島枠側に移動するのを規制する本体位置決め部と、前記島枠内に配置した前記外枠の前面下部に対面するように前記冶具本体に設けられ、前記島枠内の前記外枠が前記所定の傾斜角度で傾斜したときに前記外枠の前面下部が当接する前後位置設定部と、を備えたことを特徴とする。
【０００６】
また、請求項２記載の発明は、請求項１記載の遊技機の下部調整冶具において、前記前後位置設定部及び前記本体位置決め部の前後方向の相対位置が可変となるように、前記前後位置設定部及び前記本体位置決め部の少なくとも一方を、前記冶具本体に対して前後方向に移動自在に連結した。
また、請求項３記載の発明は、請求項１又は２記載の遊技機の下部調整冶具において、前記本体位置決め部は、前記島テーブルの前側縁部に引っ掛かり係合している。
【０００７】
また、請求項４記載の発明は、遊技機の外枠を遊技機島の島枠内に取り付ける際に、前記外枠の下部及び上部の前後位置を所定位置に設定する遊技機の角度調整装置であって、前記外枠が前記島枠内で所定の傾斜角度で傾斜するように前記外枠の下部の前後位置を設定する下部調整冶具と、前記島枠内の上部前縁に沿って配置し、所定の傾斜角度で傾斜した前記外枠の上部が当接することで前記外枠の上部の前後位置を設定する上部調整冶具と、を備えたことを特徴とする。
【０００８】
また、請求項５記載の発明は、請求項４記載の遊技機の角度調整装置において、前記上部調整冶具は横断面長方形の棒状体であり、この上部調整冶具の短辺側の面及び長辺側の面の一方の面を前記島枠内の上面に対向し、他方の面が前記島枠の上部前面に面一となるように配置し、前記他方の面に対向している面に前記外枠の上部を当接させて前記外枠の上部の前後位置を設定している。
【０００９】
また、請求項６記載の発明は、請求項５記載の遊技機の角度調整装置において、前記上部調整冶具は、長手方向に所定間隔をあけた位置に、一つの短辺側の面に沿って短尺方向に突出した少なくとも一対の第１係合部と、前記一つの短辺側の面に直交している長辺側の面に沿って短尺方向に突出した少なくとも一対の第２係合部とを備え、これら第１及び第２係合部の一方を、前記島枠の上部内面及び前記外枠の上部との間の隙間に挿入することで前記上部調整冶具を前記島枠内の上部前縁に沿って配置する。
【００１０】
また、請求項７記載の発明は、請求項６記載の遊技機の角度調整装置において、前記第１及び第２係合部は、前記隙間に挿入する際に、前記島枠の上部内面及び前記外枠の上部に対して弾性変形により係合力を発生する弾性変形部を設けている。
また、請求項８記載の発明は、請求項６又は７記載の遊技機の角度調整装置において、前記一対の第１及び第２係合部を、前記上部調整冶具の長手方向に所定間隔をあけた位置に、互いに直交する一つの短辺側の面と一つの長辺側の面とに固定され、且つそれらの面に沿って短尺方向に突出している少なくとも一対のＬ字形状の係合部材で構成した。
また、請求項９記載の発明は、請求項４乃至８の何れかに記載の遊技機の角度調整装置において、前記下部調整冶具は、請求項１乃至３の何れかに記載の遊技機の下部調整冶具である。
【００１１】
さらに、請求項１０記載の発明は、遊技機島の島枠内に配置した遊技機の外枠を、当該外枠の上部が前記島枠の奥側に位置し、該外枠の下部が前記上部に対して前記島枠の前側に位置するように所定の傾斜角度で傾斜を付けて前記島枠に取り付ける遊技島への遊技機の取付方法であって、前記島枠の上枠の内側前縁に沿って上部調整冶具を配置する工程と、前記上部調整冶具の奥側の面に、前記島枠内に配置した前記外枠の上部を当接して前記外枠の上部位置を設定する工程と、上部位置を設定した前記外枠の上部を前記島枠の上枠に固定する工程と、前記島枠の前面に設けた島テーブル上に下部調整冶具を載置し、この下部調整冶具に前記外枠の前面下部を当接して前記外枠の下部位置を設定する工程と、下部位置を設定した前記外枠の下部を前記島枠の下枠に固定する工程とを備えている。
【発明の効果】
【００１２】
本発明に係る遊技機の下部調整冶具によると、島枠の前面に設けた島テーブル上に冶具本体を載置し、本体位置決め部で冶具本体の位置決めを行った状態で、前後位置設定部に島枠内に配置した外枠の下部が当接するだけで、傾斜を付けた外枠の下部の位置を簡単に設定することができるので、パチンコ機本体を開けてアンバランスな状態で外枠を島枠内に配置しても、容易に外枠を島枠に取り付けることができる。
【００１３】
また、本発明に係る遊技機の角度調整装置によると、上部調整冶具及び下部調整冶具を使用して簡単に設定できるので、外枠を保持する作業員と、巻き尺などの定規を使用して外枠の上部及び下部の前後位置を調整する作業員とを少なくとも二人必要としていた従来の作業と比較して、大幅に労力の低減を図ることができる。
さらに、本発明に係る遊技機島への遊技機の取付け方法によると、傾斜を付けて島枠内に配置する外枠の上部の位置を上部調整冶具を使用して容易に設定し、外枠の下部の位置を下部調整冶具を使用して容易に設定することができるので、巻き尺などの定規を使用した従来の取付け方法と比較して、多数の外枠を正確かつ迅速に島枠に取り付けることができるとともに、作業負担を大幅に低減することができる。
【発明を実施するための最良の形態】
【００１４】
以下、本発明に係る遊技機を遊技機島へ取付ける構造の１実施形態について、図面を参照して説明する。
図１は、パチンコ機１を島台２へ取付ける構造を示す分解斜視図である。
パチンコ機１は、パチンコ機本体４と、このパチンコ機本体４にヒンジ結合されているパチンコ機外枠（以下、外枠と称する）６とで構成されている。外枠６は、左右の側枠材１６，１６、底枠材１８及び天枠材２０を四角形状に枠組みした木製の枠体である。外枠６の前面の一方の側部にヒンジ部２２が固定されており、このヒンジ部２２を介してパチンコ機本体４が外枠６に開閉自在に連結されている。
【００１５】
島台２はパチンコ機１の据付台であり、この上部に長尺な上板８が水平に設置されている。この上板８の遊技者が座る側を島テーブル８ａとすると、島テーブル８ａの後ろ側に長手方向に島枠１０が枠組みされており、この島枠１０内に複数の外枠６が取り付けられる。
島枠１０は、複数の縦島枠材１２，１２が長手方向に離間して立設し、それら縦島枠材１２，１２の上端に上島枠材１４を固定した枠組み構造である。上板８、縦島枠材１２及び上島枠材１４も木製の板材である。ここで、島テーブル８ａの遊技者が座る側に最も近い縁部に、遊技球が床に落球するのを防止するための上方に突出した土手８ｂが長手方向に連続して設けられている。
【００１６】
そして、外枠６は、ヒンジ部２２を介して連結しているパチンコ機本体４を開けた状態とし、図２に示す上部調整冶具２６及び下部調整冶具２８を使用することで、所定の傾斜角度αの後傾姿勢（外枠６の上部が、外枠６の下部に対して奥側に位置した状態）として島枠１０内に嵌め込まれる。
上部調整冶具２６は、外枠６が島枠１０内で所定の傾斜角度α１，α２（α２＜α１）で後傾姿勢となるときの島枠１０内の天枠材２０の位置を設定する冶具である。
【００１７】
この上部調整冶具２６は、図３に示すように、幅Ｈａの短辺側の面２６ａと、幅Ｈｂ（Ｈｂ＞Ｈａ）の長辺側の面２６ｂとを備えた横断面長方形状の棒状体である。この上部調整冶具２６には、長手方向に離間した位置に一対の係合部材２７が固定されている。これら係合部材２７は、Ｌ字形状に折曲した金属板材であり、互いに直交している短辺側の面２６ａ及び長辺側の面２６ｂにビス等で固定され、それらの面２６ａ，２６ｂから短尺方向に突出している部材である。係合部材２７の短辺側の面２６ａから突出している部分を第１係合部２７ａとし、長辺側の面２６ｂから突出している部分を第２係合部２７ｂと称する。
【００１８】
そして、第１係合部２７ａには、図３に示すように、プレス加工等により帯状の凸部２９が設けられている。
また、下部調整冶具２８は、図５及び図６に示すように、矩形板状の冶具本体３２と、冶具本体３２の下面に配置した脚部３４と、冶具本体３２に一体に連結して冶具本体３２を島テーブル８ａに位置決めする位置決め部材３６と、冶具本体３２に対して幅方向に移動自在に連結している前後位置設定部材３８とを備えている。
【００１９】
位置決め部材３６は、冶具本体３２の長手方向に離間して一対配置されており、冶具本体３２の上面の幅方向に延在しながら２本の固定ねじ３７で固定されており、上面に傾斜角度目盛り３６ａが付けられている固定板部３６ｂと、この固定板部３６ｂの一方の端部から下方に折曲され、土手８ｂを越えて島テーブル８ａの前縁に係合する係合板部３６ｃとで構成したＬ字形状の板状部材である。
【００２０】
図６に示すように、前述した固定ねじ３７のねじ部３７ａは、冶具本体３２を貫通して下面から突出しており、このねじ部３７ａの下部に脚部３４の上部がねじ込まれて連結している。そして、脚部３４とねじ部３７ａのねじ込み量を調整することで、島テーブル８ａ上に冶具本体３２が水平に載置されるようになっている。ここで、土手８ｂ側に位置する脚部３４は、係合板部３６ｃとで土手８ｂを前後方向から挟み込んでいる。
【００２１】
前後位置設定部材３８は、図５に示すように、各位置決め部材３６の固定板部３６ｂに沿って配置され、上面に傾斜角度目盛り３６ａに対応するポイント３８ａを設けたスライド板３８ｂと、このスライド板３８ｂの一端から立ち上がり、外枠６の左右の側枠材１６の下部に当接する当接部３８ｃと、スライド板３８ｂを冶具本体３２の幅方向にスライド可能なスライド機構とを備えている。
【００２２】
スライド機構は、図６に示すように、スライド板３８ｂの下方位置となる冶具本体３２内部に長尺方向が幅方向に延在するスリット３２ａを形成し、このスリット３２ａに、スライド板３８ｂに頭部が回転自在に連結しているスライドボルト３９のねじ部３９ａが上部から貫通し、ねじ部３９ａの下部に螺合したナット３９ｂをスリット３２ａの下部開口縁部に係合させる構造としている。そして、スライド板３８ｂを冶具本体３２の幅方向にスライドさせるときには、スリット３２ａの下部開口縁部にナット３９ｂが摺動するようにスライドボルト３９を緩め、スライドボルト３９のねじ部３９ａをスリット３２ａの長手方向に移動させながらスライド板３８ｂをスライドさせる。
【００２３】
下部調整冶具２８を所定の傾斜角度α１に設定するには、前後位置設定部材３８のスライドボルト３９を緩め、ポイント３８ａが固定板部３６ｂの傾斜角度目盛り３６ａの傾斜角度α１となるようにスライド板３８ｂをスライド移動してからスライドボルト３９を締める。
また、係合板部３６ｃと土手８ｂ側の脚部３４とで、土手８ｂを前後方向から挟み込んで冶具本体３２を島テーブル８ａに固定する。そして、前後位置設定部材３８の当接部３８ｃに、外枠６の左右の側枠材１６が当接すると、所定の傾斜角度α１に設定したときの島枠１０内の左右の側枠材１６の位置が設定される。また、下部調整冶具２８を所定の傾斜角度α２（α２＜α１）に設定する場合には、同様の手順で、ポイント３８ａが固定板部３６ｂの傾斜角度目盛り３６ａの傾斜角度α２となるようにする。
【００２４】
次に、上部調整冶具２６及び下部調整冶具２８を使用し、島台２に大きな傾斜角度α１で後傾姿勢を付けてパチンコ機１を取り付ける場合の作業手順について図面を参照しながら説明する。
先ず、所定の島枠１０内に、パチンコ機本体４を開けた状態で外枠６を嵌め込む。次に、上部調整冶具２６を上島枠材１２の上部内面側で係合させる。すなわち、図７（ａ）に示すように、上部調整冶具２６の長辺側の面２６ｂを幕板３０の下面に対向させながら、一対の係合部材２７の第２係合部２７ｂを上島枠材１４及び天枠材２０間の隙間に挿入する。その際、第２係合部２７ｂの凸部２９が凹みながら弾性変形する。
【００２５】
そして、短辺側の面２６ａが天板３０の前面と面一となるように上部調整冶具２６を保持しながら、上部調整冶具２６の短辺側の面２６ａに外枠６の天枠材２０が当接するように、外枠６の上部を前面側に押し出す。短辺側の面２６ａに天枠材２０が当接した時点で傾斜角度α１で後傾姿勢とした外枠６の天枠材２０の位置が設定されるので、作業者は、天枠材２０の内側から上島枠材１４に向けて釘４０を打ち込む。
【００２６】
次に、作業者は、下部調整冶具２８を外枠６を嵌め込んだ所定の島枠１０の前面の島テーブル８ａに配置し、係合板部３６ｃと土手８ｂ側の脚部３４とで、土手８ｂを前後方向から挟み込んで冶具本体３２を島テーブル８ａに固定する。
次に、下部調整冶具２８の当接部３８ｃの先端に外枠６の左右の側枠材１６が当接するように、外枠６の側部を前面側に押し出す。当接部３８ｃの先端に外枠６の左右の側枠材１６が当接した時点で傾斜角度α１で後傾姿勢とした外枠６の島枠１０内の左右の側枠材１６の下部の位置が設定されるので、作業者は底枠材１８の内側から島テーブル８ａに向けて釘４０を打ち込む（図２及び図５参照）。
【００２７】
また、島台２に、小さな傾斜角度α２で後傾姿勢を付けてパチンコ機１を取り付ける場合には、図７（ｂ）に示すように、上部調整冶具２６の短辺側の面２６ａを幕板３０の下面に対向させながら、一対の係合部材２７の第１係合部２７ａを上島枠材１４及び天枠材２０間の隙間に挿入する。その際、第２係合部２７ａの凸部２９が凹みながら弾性変形する。
【００２８】
そして、長辺側の面２６ｂが天板３０の前面と面一となるように上部調整冶具２６を保持しながら、上部調整冶具２６の長辺側の面２６ｂに外枠６の天枠材２０が当接するように、外枠６の上部を前面側に押し出す。長辺側の面２６ｂに天枠材２０が当接した時点で傾斜角度α２で後傾姿勢とした外枠６の天枠材２０の位置が設定されるので、作業者は、天枠材２０の内側から上島枠材１４に向けて釘４０を打ち込む。そして、上述した手順と略同様の手順で下部調整冶具２８を操作する。
【００２９】
このように、天枠材２０及び上島枠材１４の両者に釘４０が打ち込まれ、底枠材１８及び島テーブル８ａの両者に釘４０が打ち込まれることで、外枠６が所定の傾斜角度α１，α２の後傾姿勢で所定の島枠１０に取付けられる。
そして、他の島枠１０内に外枠６を取り付ける際にも、上記と同様の手順で、上部調整冶具２６を使用して外枠６の天枠材２０の位置を設定して固定するとともに、下部調整冶具２８を島テーブル８ａの縁部に係合させた状態で島テーブル８ａの長手方向にスライド移動した後、上記と同様の手順で、下部調整冶具２８を使用して外枠６の左右の側枠材１６の下部の位置を設定して固定する作業を行う。
【００３０】
したがって、本実施形態によると、パチンコ機本体４を開けた状態で所定の傾斜角度α１，α２で傾斜する外枠６の上部位置及び下部位置を、上部調整冶具２６及び下部調整冶具２８を使用して簡単に設定できるので、外枠を保持する作業員と、巻き尺などの定規を使用して外枠の上部及び下部の前後位置を調整する作業員とを少なくとも二人必要としていた従来の作業と比較して、大幅に労力の低減を図ることができる。
【００３１】
また、巻尺などの定規を使用した従来の作業と比較して、予め所定の傾斜角度α１，α２に対応した上部調整冶具２６及び下部調整冶具２８を使用して外枠６の取付け作業を行うため、営業時間外の限られた時間内であっても、迅速に多数の外枠６の取付け作業を行うことができる。
また、上部調整冶具２６は、係合部材２７を構成する第１係合部２７ａ，２７ｂの一方を、上島枠材１４及び天枠材２０間の隙間に凸部２９を弾性変形させながら挿入するので、外枠６の上部位置の上部調整冶具２６の係合を簡単に行うことができる。
【００３２】
また、下部調整冶具２６を使用する際には、係合板部３６ｃと土手８ｂ側の脚部３４とで、土手８ｂを前後方向から挟み込んで冶具本体３２を島テーブル８ａに固定するしているので、下部調整冶具２６の固定が容易となって作業負担を低減することができる。
しかも、係合板部３６ｃを島テーブル８ａの前縁部に係合させた状態で島テーブル８ａの長手方向に下部調整冶具２６をスライド移動させるだけで他の外枠６の角度調整も連続して行うことができるので、さらに作業負担を低減することができる。
さらに、下部調整冶具２８の前後位置設定部材３８を移動して傾斜角度目盛り３６ａとポイント３８ａの対応位置を変更し、短辺側の面２６ａ及び長辺側の面２６ｂの向きを代えて上部調整冶具２６を使用することで、傾斜角度を変更した外枠６の取付けを容易に行うことができる。
【００３３】
次に、図８及び図９に示すものは、上述した下部調整冶具２８と異なる実施形態の下部調整冶具を示すものである。
本実施形態の下部調整冶具５０は、矩形状の冶具本体５２と、冶具本体５２に対して幅方向に移動自在に連結して冶具本体５２を島テーブル８ａに位置決めする位置決め部材５６と、冶具本体３２に一体に設けられている前後位置設定部材５８とを備えている。
位置決め部材５６は、一方の面にポイント５６ａを設けたスライド板５６ｂと、このスライド板５６ｂの一方の端部から直角に折曲されている係合板部５６ｃとで構成したＬ字形状の板状部材である。
【００３４】
冶具本体５２の長手方向の両端部には、土手８ａ側に向かって開口している挿入孔５２ａが形成されており、位置決め部材５６は、係合板部５６ｃを下方に延在させた状態でスライド板５６ｂが挿入孔５２に挿入されている。
また、冶具本体５２の上面には、挿入孔５２ａに連通する長孔形状に開口した開口部５２ｂが形成されており、この開口部５２ｂからスライド板５６ｂに設けたポイント５６ａが確認できるようになっている。また、開口部５２ｂの周縁には、ポイント５６ａに対応する傾斜角度目盛り５２ｃが付けられている。
【００３５】
そして、スライド板５６ｂの端部にはスライドボルト６０が連結しており、このスライドボルト６０を締めると、ボルト頭部が開口部５２ｂの開口周縁に係合して位置決め部材５６が冶具本体５２に固定され、スライドボルト６０を緩めて開口部５２ｂの長手方向に移動すると、位置決め部材５６が冶具本体５２の幅方向に移動するようになっている。
また、前後位置設定部材５８は、冶具本体５２から立ち上がり、外枠６の左右の側枠材１６の下部に当接する当接部５８ａを設けている。
【００３６】
本実施形態の下部調整冶具５０を所定の傾斜角度α１，α２に設定するには、スライドボルト６０を緩め、ポイント５６ａが傾斜角度目盛り５２ｃの傾斜角度α１，α２となるように位置決め部材５６のスライド板５６ｂをスライド移動してからスライドボルト６０を締める。
また、位置決め部材５６の係合板部５６ｃは、土手８ｂの前縁部に係合することで、島テーブル８ａの後ろ側への冶具本体５２の移動を規制する。
【００３７】
本実施形態の下部調整冶具５０も、パチンコ機本体４を開けた状態で所定の傾斜角度α１，α２で傾斜する外枠６の下部位置を簡単に設定することができるので、上部調整冶具２６とともに使用することで従来の作業と比較して、大幅に労力の低減を図ることができる。
また、位置決め部材５６の係合板部５６ｃが、土手８ｂの前縁部に係合することで島テーブル８ａの後ろ側への冶具本体５２の移動を規制するので、下部調整冶具５０の固定が容易となって作業負担を低減することができる。
しかも、島テーブル８ａの長手方向に下部調整冶具５０をスライド移動させるだけで他の外枠６の角度調整も連続して行うことができるので、さらに作業負担を低減することができる。
【図面の簡単な説明】
【００３８】
【図１】遊技機を遊技機島に取付ける構造を示す分解斜視図である。
【図２】遊技機の外枠を遊技機機島の島枠内に傾斜を付けて取り付けた状態を示す縦断面図である。
【図３】外枠を島枠内に傾斜を付けて取り付ける際に使用する上部調整冶具を示す斜視図である。
【図４】上部調整冶具を構成する係合部の断面形状を示す図３のIV−IV線矢視図である。
【図５】外枠を島枠内に傾斜を付けて取り付ける際に使用する第１実施形態の下部調整冶具を示す斜視図である。
【図６】第１実施形態の下部調整冶具を側部から示した要部断面図である。
【図７】上部調整冶具を島枠の上部前縁に係合させて配置する状態を示す図である。
【図８】外枠を島枠内に傾斜を付けて取り付ける際に使用する第２実施形態の下部調整冶具を示す斜視図である。
【図９】第２実施形態の下部調整冶具を側部から示した要部断面図である。
【符号の説明】
【００３９】
１  パチンコ機（遊技機）
４  パチンコ機本体
６  外枠
８ａ  島テーブル
８ｂ  土手
１０  島枠
１２ａ  係合孔
２２  ヒンジ部
２６  上部調整冶具
２６ａ  短辺側の面
２６ｂ  長辺側の面
２７  係合部材
２７ａ  第１係合部
２７ｂ  第２係合部
２８，５０  下部調整冶具
２９  凸部（弾性変形部）
３２，５２  冶具本体
３４  脚部
３６，５６  位置決め部材（本体位置決め部）
３６ｂ  固定板部
３６ｃ  係合板部
３８，５８  前後位置設定部材（前後位置設定部）
３８ｂ  スライド板
３８ｃ  当接部
４０  釘
５６ｂ  スライド板
５６ｃ  係合板部
α１，α２  傾斜角度
【図１】
2005329225.tif 000003
【図２】
2005329225.tif 000004
【図３】
2005329225.tif 000005
【図４】
2005329225.tif 000006
【図５】
2005329225.tif 000007
【図６】
2005329225.tif 000008
【図７】
2005329225.tif 000009
【図８】
2005329225.tif 000010
【図９】
2005329225.tif 000011